(57)【要約】　　　（修正有）【課題】利用者に意識させることなく、帳票のバージョンを認識することを可能とする帳票バージョン認識システム及び帳票バージョン認識処理プログラム、並びに、電子ペン用帳票を提供する。【解決手段】電子ペン用帳票には、バージョン認識用エリアが設けられる。利用者は電子ペン用帳票上に必要事項を記入し、バージョン認識用エリアに例えばチェックなどの記入を行う。電子ペンは、バージョン認識用エリアへの記入データを含む、記入内容に対応する記入データを生成し、バージョン認識装置に供給する。バージョン認識装置は、その記入データに基づいて、電子ペン用帳票のバージョンを認識する。バージョン認識用エリアに印刷されたドットパターンは、電子ペン用帳票のバージョン毎に異なるものであるので、バージョン認識装置は、これを利用して電子ペン用帳票のバージョンを認識する。【選択図】　図８
2004127198.tif 000002
【特許請求の範囲】
【請求項１】
バージョン毎に異なるドットパターンが印刷されたバージョン認識用エリアを有する電子ペン用帳票と、
光学的に前記ドットパターンを読み取ることによって当該ドットパターン上に記入された記入データを取得する電子ペンと、
前記電子ペン用帳票のバージョンを取得するバージョン認識装置と、を備え、前記バージョン認識装置は、前記バージョン認識用エリアに対する記入データを前記電子ペンから取得し、取得した記入データに基づいて、前記電子ペン用帳票のバージョンを認識することを特徴とする帳票バージョン認識システム。
【請求項２】
前記電子ペン用帳票は、全てのバージョンに対して同一のドットパターンが印刷された共通エリアをさらに備えることを特徴とする請求項１に記載の帳票バージョン認識システム。
【請求項３】
前記バージョン認識用エリアは、前記電子ペン用帳票の全てのバージョンについて同一の位置に設けられることを特徴とする請求項１又は２に記載の帳票バージョン認識システム。
【請求項４】
前記バージョン認識用エリアは、前記電子ペン用帳票のバージョン毎に異なる位置に設けられることを特徴とする請求項１に記載の帳票バージョン認識システム。
【請求項５】
全てのバージョンについて同一のドットパターンが印刷されるとともに、バージョン毎に異なる位置に設けられたバージョン認識用エリアを有する電子ペン用帳票と、
光学的に前記ドットパターンを読み取ることによって当該ドットパターン上に記入された記入データを取得する電子ペンと、
前記電子ペン用帳票のバージョンを取得するバージョン認識装置と、を備え、前記バージョン認識装置は、前記バージョン認識用エリアに対する記入データを前記電子ペンから取得し、取得した記入データに基づいて、前記電子ペン用帳票のバージョンを認識することを特徴とする帳票バージョン認識システム。
【請求項６】
前記バージョン認識用エリアは、前記電子ペン用帳票のバージョン数に応じた数だけ設けられることを特徴とする請求項４に記載の帳票バージョン認識システム。
【請求項７】
前記バージョン認識装置は、前記電子ペンから取得した記入データを、前記認識された電子ペン用帳票のバージョンに従って処理することを特徴とする請求項１乃至６の何れか一項に記載の帳票バージョン認識システム。
【請求項８】
コンピュータ上で実行されることにより、
バージョン毎に異なるドットパターンが印刷されたバージョン認識用エリアを有する電子ペン用帳票上の前記バージョン認識用エリアに記入された記入データを、光学的に前記ドットパターンを読み取ることによって取得した電子ペンから取得する手段、
取得した前記記入データに基づいて、前記電子ペン用帳票のバージョンを認識する手段、として前記コンピュータを機能させることを特徴とする帳票バージョン認識処理プログラム。
【請求項９】
コンピュータ上で実行されることにより、
全てのバージョンについて同一のドットパターンが印刷されるとともに、バージョン毎に異なる位置に設けられたバージョン認識用エリアを有する電子ペン用帳票上の前記バージョン認識用エリアに記入された記入データを、光学的に前記ドットパターンを読み取ることによって取得した電子ペンから取得する手段、
取得した前記記入データに基づいて、前記電子ペン用帳票のバージョンを認識する手段、として前記コンピュータを機能させることを特徴とする帳票バージョン認識プログラム。
【請求項１０】
インクペンユニット及び光学的にドットパターンを読み取る読取ユニットを備える電子ペンにより記入される電子ペン用帳票であって、
バージョン毎に異なるドットパターンが印刷されたバージョン認識用エリアが設けられることを特徴とする電子ペン用帳票。
【請求項１１】
前記バージョン認識用エリアは、全てのバージョンについて同一の位置に設けられることを特徴とする請求項１０に記載の電子ペン用帳票。
【請求項１２】
前記バージョン認識用エリアは、前記バージョン毎に異なる位置に設けられることを特徴とする請求項１０に記載の電子ペン用帳票。
【請求項１３】
インクペンユニット及び光学的にドットパターンを読み取る読取ユニットを備える電子ペンにより記入される電子ペン用帳票であって、
全てのバージョンについて同一のドットパターンが印刷され、当該ドットパターン上にはバージョン認識用エリアが設けられ、前記バージョン認識用エリアは前記バージョン毎に異なる位置に設けられていることを特徴とする電子ペン用帳票。
【請求項１４】
前記バージョン認識用エリアは、前記バージョン数に応じた数だけ設けられていることを特徴とする請求項１３に記載の電子ペン用帳票。
【請求項１５】
前記バージョン認識用エリアは、前記電子ペン用帳票上に設けられた必須入力エリアであることを特徴とする請求項１０乃至１４の何れか一項に記載の電子ペン用帳票。
【請求項１６】
前記バージョン認識用エリアは、前記電子ペン用帳票上に設けられた新規記入ボックス欄又は送信ボックス欄であることを特徴とする請求項１０乃至１４の何れか一項に記載の電子ペン用帳票。
【発明の詳細な説明】
【０００１】
【発明の属する技術分野】
本発明は、電子ペンと共に使用する帳票及び電子ペンから得たデータを処理するシステム等に関する。
【０００２】
【従来の技術】
各種申込等に使用される帳票は、時間と共に内容の更新されていくものが多い（例えば、旅行申込書や、保険申込書における約款など）。そして、特に、切り替えの時期においては、帳票を配布する際のタイムラグ等により複数のバージョン（版）が併用される期間が生じる。通常、紙帳票においてこのようなバージョンを認識する場合、その紙帳票の片隅に予めバージョン番号等を印刷しておき、人間の目視によって新旧を判別することが行われている。
【０００３】
ところで、近年、「電子ペン」、「デジタルペン」などと呼ばれるペン型入力デバイスが登場しており（以下、本明細書では「電子ペン」と呼ぶ。）、その代表的なものとしてスウェーデンのＡｎｏｔｏ社が開発した「アノトペン（Ａｎｏｔｏ　ｐｅｎ）」が知られている。電子ペンは、所定のドットパターンが印刷された専用紙（以下、「専用ペーパー」と呼ぶ。）とペアで使用される。電子ペンは、通常のインクタイプのペン先部に加えて、専用ペーパー上のドットパターンを読み取るための小型カメラと、Ｂｌｕｅｔｏｏｔｈ対応の通信ユニットを搭載している。利用者が専用ペーパー上に電子ペンで文字などを書くと、ペンの移動に伴って小型カメラが専用ペーパー上のドットパターンを読み取り、利用者が記入した文字などの記入データが取得される。この記入データは、Ｂｌｕｅｔｏｏｔｈ対応の通信ユニットにより電子ペンから近くのパーソナルコンピュータや携帯電話などの端末装置に送信され、さらに、そこからサーバ等に送信されて管理される。
【０００４】
【発明が解決しようとする課題】
しかしながら、このような電子ペンとペアで使用される専用ペーパーを、上述した各種申込等に使用される帳票に応用した場合、当該帳票に予め印刷された文字は、記入データとして電子ペンにより取得されないため、利用者が何らかの方法で帳票のバージョン番号を記入しない限り、その帳票に記入された記入データを受け取ったサーバ等は、その記入データがどのバージョンの帳票で記入されたデータなのかを判別することができない。そのため、新しいバージョンの帳票で新規に追加になった項目が未記入のまま、処理が進んでしまう等の問題が生じる。
【０００５】
一方、帳票のバージョン番号は、利用者にとって不必要な情報であり、これを、わざわざ利用者に記入させることは、利用者にとって煩わしく抵抗が大きい。
【０００６】
本発明は、以上の点に鑑みてなされたものであり、利用者に意識させることなく、帳票のバージョンを認識することを可能とする帳票バージョン認識システム及び帳票バージョン認識処理プログラム、並びに、電子ペン用帳票を提供することを課題とする。
【０００７】
【課題を解決するための手段】
本発明の１つの観点では、帳票バージョン認識システムは、バージョン毎に異なるドットパターンが印刷されたバージョン認識用エリアを有する電子ペン用帳票と、光学的に前記ドットパターンを読み取ることによって当該ドットパターン上に記入された記入データを取得する電子ペンと、前記電子ペン用帳票のバージョンを取得するバージョン認識装置と、を備え、前記バージョン認識装置は、前記バージョン認識用エリアに対する記入データを前記電子ペンから取得し、取得した記入データに基づいて、前記電子ペン用帳票のバージョンを認識する。
【０００８】
上記の帳票バージョン認識システムにおいては、利用者は電子ペン用帳票上に必要事項を記入し、バージョン認識用エリアに例えばチェックなどの記入を行う。電子ペンは、バージョン認識用エリアへの記入データを含む、記入内容に対応する記入データを生成し、バージョン認識装置に供給する。バージョン認識装置は、その記入データに基づいて、電子ペン用帳票のバージョンを認識する。バージョン認識用エリアに印刷されたドットパターンは、電子ペン用帳票のバージョン毎に異なるものであるので、バージョン認識装置は、これを利用して電子ペン用帳票のバージョンを認識する。従って、利用者は、使用している電子ペン用帳票のバージョンを意識することなく、単にバージョン認識用エリア内にチェックなどを記入するだけで、バージョン認識装置は電子ペン用帳票のバージョンを認識することができる。
【０００９】
上記の帳票バージョン認識システムの一態様では、前記電子ペン用帳票は、全てのバージョンに対して同一のドットパターンが印刷された共通エリアをさらに備えることができる。よって、全てのバージョンに対して共通な記入事項などを共通エリア上に記入させることができる。
【００１０】
上記の帳票バージョン認識システムの他の一態様では、前記バージョン認識用エリアは、前記電子ペン用帳票の全てのバージョンについて同一の位置に設けることができる。これにより、電子ペン用帳票上のバージョン認識用エリアのデザインをバージョン毎に変える必要がない。
【００１１】
上記の帳票バージョン認識システムの他の一態様では、前記バージョン認識用エリアは、前記電子ペン用帳票のバージョン毎に異なる位置に設けることもできる。これにより、見る人（例えば、オペレータ）によっては、その位置によって電子ペン用帳票のバージョンを把握することができる。
【００１２】
本発明の他の観点では、帳票バージョン認識システムは、全てのバージョンについて同一のドットパターンが印刷されるとともに、バージョン毎に異なる位置に設けられたバージョン認識用エリアを有する電子ペン用帳票と、光学的に前記ドットパターンを読み取ることによって当該ドットパターン上に記入された記入データを取得する電子ペンと、前記電子ペン用帳票のバージョンを取得するバージョン認識装置と、を備え、前記バージョン認識装置は、前記バージョン認識用エリアに対する記入データを前記電子ペンから取得し、取得した記入データに基づいて、前記電子ペン用帳票のバージョンを認識する。
【００１３】
上記の帳票バージョン認識システムによれば、利用者は電子ペン用帳票上に必要事項を記入し、バージョン認識用エリアに例えばチェックなどの記入を行う。電子ペンは、バージョン認識用エリアへの記入データを含む、記入内容に対応する記入データを生成し、バージョン認識装置に供給する。バージョン認識装置は、その記入データに基づいて、電子ペン用帳票のバージョンを認識する。バージョン認識用エリアは、バージョン毎に異なる位置に設けられており、記入データは電子ペン用帳票上の位置を示す情報を含むので、バージョン認識装置は、記入データを利用して電子ペン用帳票のバージョンを認識する。従って、利用者は、使用している電子ペン用帳票のバージョンを意識することなく、単にバージョン認識用エリア内にチェックなどを記入するだけで、バージョン認識装置は電子ペン用帳票のバージョンを認識することができる。
【００１４】
上記の帳票バージョン認識システムの一態様では、前記バージョン認識用エリアは、前記電子ペン用帳票のバージョン数に応じた数だけ設けられる。従って、バージョンが異なっても、同じドットパターンを使うことができるというメリットがある。
【００１５】
上記の帳票バージョン認識システムの他の一態様では、前記バージョン認識装置は、前記電子ペンから取得した記入データを、前記認識された電子ペン用帳票のバージョンに従って処理する。よって、バージョン毎に用意された各種の処理を、バージョン認識装置が認識したバージョンに従って実行することができる。各種の処理とは、例えば取得した記入データを一時的にデータベースに保管する処理や、電子ペン用帳票の用途に応じて必要となるチェックや演算などの処理を含む。なお、これらの処理は、予め電子ペン用帳票のバージョン毎に用意されたプログラムなどを実行することにより行うことができる。
【００１６】
本発明の他の観点では、帳票バージョン認識処理プログラムは、コンピュータ上で実行されることにより、バージョン毎に異なるドットパターンが印刷されたバージョン認識用エリアを有する電子ペン用帳票上の前記バージョン認識用エリアに記入された記入データを、光学的に前記ドットパターンを読み取ることによって取得した電子ペンから取得する手段、取得した前記記入データに基づいて、前記電子ペン用帳票のバージョンを認識する手段、として前記コンピュータを機能させる。
【００１７】
また、本発明の他の観点では、帳票バージョン認識プログラムは、コンピュータ上で実行されることにより、全てのバージョンについて同一のドットパターンが印刷されるとともに、バージョン毎に異なる位置に設けられたバージョン認識用エリアを有する電子ペン用帳票上の前記バージョン認識用エリアに記入された記入データを、光学的に前記ドットパターンを読み取ることによって取得した電子ペンから取得する手段、取得した前記記入データに基づいて、前記電子ペン用帳票のバージョンを認識する手段、として前記コンピュータを機能させる。
【００１８】
これらの帳票バージョン認識プログラムをコンピュータ上で実行することにより、前述の帳票バージョン認識システムを実現することができる。
【００１９】
本発明の他の観点では、インクペンユニット及び光学的にドットパターンを読み取る読取ユニットを備える電子ペンにより記入される電子ペン用帳票は、バージョン毎に異なるドットパターンが印刷されたバージョン認識用エリアが設けられる。利用者は、電子ペン用帳票へ必要事項などを記入する際に、バージョン認識用エリアにチェックなどを記入すれば、その記入データに基づいて当該電子ペン用帳票のバージョンを認識することができる。
【００２０】
上記の電子ペン用帳票の一態様では、前記バージョン認識用エリアは、全てのバージョンについて同一の位置に設けることができる。また、他の一態様では、前記バージョン認識用エリアは、前記バージョン毎に異なる位置に設けることができる。
【００２１】
本発明の他の観点では、インクペンユニット及び光学的にドットパターンを読み取る読取ユニットを備える電子ペンにより記入される電子ペン用帳票は、全てのバージョンについて同一のドットパターンが印刷され、当該ドットパターン上にはバージョン認識用エリアが設けられ、前記バージョン認識用エリアは前記バージョン毎に異なる位置に設けられている。利用者は、電子ペン用帳票へ必要事項などを記入する際に、バージョン認識用エリアにチェックなどを記入すれば、その記入データに基づいて当該電子ペン用帳票のバージョンを認識することができる。
【００２２】
上記の電子ペン用帳票の一態様では、前記バージョン認識用エリアは、前記バージョン数に応じた数だけ設けることができる。
【００２３】
また、上記の電子ペン用帳票の他の一態様では、前記バージョン認識用エリアは、前記電子ペン用帳票上に設けられた必須入力エリア、若しくは新規記入ボックス欄又は送信ボックス欄とすることができる。
【００２４】
【発明の実施の形態】
以下、図面を参照して本発明の好適な実施の形態について説明する。なお、以下の説明は、申込処理システムに対して本発明に係る帳票バージョン認識システム等を適用した場合の実施形態である。
【００２５】
［電子ペン］
まず始めに、電子ペンについて説明する。図１は電子ペンの使用形態を模式的に示す図であり、図２は電子ペンの構造を示す機能ブロック図である。図１に示すように、電子ペン１０は、ドットパターンが印刷された電子ペン用帳票としての専用ペーパー２０と組み合わせて使用される。電子ペン１０は、通常のインクペンと同様のペン先部１７を備えており、利用者は通常のインクペンと同様に専用ペーパー２０上に文字などを書くことになる。
【００２６】
図２に示すように、電子ペン１０は、その内部にプロセッサ１１、メモリ１２、Ｂｌｕｅｔｏｏｔｈトランシーバ１３、バッテリー１４、赤外線ＬＥＤ１５、カメラ１６及び圧力センサ１８を備える。また、電子ペン１０は通常のインクペンと同様の構成要素としてインクカートリッジ（図示せず）などを有する。
【００２７】
電子ペン１０は、ペン先部１７により専用ペーパー２０上に描かれたインクの軌跡をデータ化するのではなく、専用ペーパー２０上で電子ペン１０が移動した軌跡座標をデータ化する。赤外線ＬＥＤ１５が専用ぺーパー２０上のペン先部１７近傍を照明しつつ、カメラ１６が専用ペーパー２０に印刷されているドットパターンを読み取り、データ化する。つまり、電子ペン１０は専用ペーパー２０上で利用者が電子ペン１０を移動させることにより生じるストロークを画像データ又はベクトルデータとして取得することができる。
【００２８】
圧力センサ１８は、利用者が電子ペン１０により専用ペーパー上に文字などを書く際にペン先部１７に与えられる圧力、即ち筆圧を検出し、プロセッサ１１へ供給する。プロセッサ１１は、圧力センサ１８から与えられる筆圧データに基づいて、赤外線ＬＥＤ１５及びカメラ１６のスイッチオン／オフの切換を行う。即ち、利用者が電子ペン１０で専用ペーパー２０上に文字などを書くと、ペン先部１７には筆圧がかかる。よって、所定値以上の筆圧が検出されたときに、利用者が記述を開始したと判定して、赤外線ＬＥＤ１５及びカメラ１６を作動する。
【００２９】
カメラ１６は専用ペーパー２０上のドットパターンを読み取り、そのパターンデータをプロセッサ１１に供給する。プロセッサ１１は、供給されたドットパターンから、専用ペーパー２０上でのＸ／Ｙ座標を算出する。
【００３０】
プロセッサ１１は、利用者の記入が行われる間に、筆圧の配列データ及びＸ／Ｙ座標データを取得し、タイムスタンプ（時間情報）と関連付けてメモリ１２に記憶していく。よって、メモリ１２内には利用者の記入内容に対応するデータが時系列で記憶されていく。メモリ１２の容量は例えば１Ｍバイト程度とすることができる。
【００３１】
利用者により送信指示がなされるまでは、取得された全てのデータはメモリ１２内に保持される。そして、利用者が送信指示を行うと、Ｂｌｕｅｔｏｏｔｈトランシーバ１３により、電子ペン１０と所定距離内にある端末装置２５へメモリ１２内の記入データが送信される。基本的には、一度送信指示がなされると、電子ペン１０はメモリ１２内に記憶していた全ての記入データを端末装置２５へ送信するため、メモリ１２内はクリアされる。よって、送信後にもう一度同じ情報を端末装置２５へ送信したい場合には、利用者は専用ペーパー２０上に再度記述を行う必要がある。なお、この場合、利用者は専用ペーパー２０上にインクペンで書かれた文字などをなぞればよいことになる。
【００３２】
電子ペン１０自体は、送信ボタンなどの機能ボタンを備えておらず、送信指示その他の指示は、利用者が専用ペーパー２０上の所定位置に設けられた専用ボックスを電子ペン１０でチェックすることにより実行される。専用ボックスの位置座標には、予め送信指示が対応付けられており、プロセッサ１１は専用ボックスの位置座標を受信すると、Ｂｌｕｅｔｏｏｔｈトランシーバ１３にメモリ１２内の記入データを供給し、端末装置２５への送信を行わせる。なお、電子ペン１０はディスプレイやボタンなどを持たないが、データの送信完了を電子ペンの振動により示すことができる。
【００３３】
バッテリー１４は電子ペン１０内の各要素に電源供給するためのものであり、例えば電子ペンのキャップ（図示せず）により電子ペン１０自体の電源のオン／オフを行うことができる。
【００３４】
このように、電子ペン１０は利用者が専用ペーパー２０上に記述した文字などに対応する座標データ及び筆圧データを取得して近傍の端末装置２５へ送信する機能を有するが、電子ペン１０のペン先部１７は通常のインクペンとなっているため、専用ペーパー２０上に記述した内容はオリジナルの原本として残るという特徴がある。即ち、紙の原本に対して記述するのと同時に、その内容を座標データなどの形態でリアルタイムに電子化することができる。
【００３５】
なお、上記の例では、電子ペン１０から端末装置２５へのデータ送信をＢｌｕｅｔｏｏｔｈの無線伝送により行う例を挙げているが、その代わりに例えばケーブルを使用した有線によるデータ伝送や、電子ペン１０と端末装置２５の一部に設けられた端子などの接触によるデータ伝送など、各種の方法で電子ペン１０から端末装置２５へのデータ伝送を行うことが可能である。
【００３６】
なお、電子ペン１０の標準機能によれば、電子ペン１０により得られる記入データは、原則として座標データ又はベクトルデータの形態であり、テキストデータではない。但し、電子ペン１０は標準機能として、専用ペーパー２０上に設けられた専用エリアに記述することにより、英数字に限りテキスト化する機能は備えている。なお、端末装置２５などにおいて、電子ペン１０から送信された座標データやベクトルデータから、文字認識アプリケーションを利用してテキストデータを得ることはもちろん可能である。
【００３７】
また、電子ペン１０内には、ペン自体及びその所有者に関するプロパティ情報（ペン情報及びペン所有者情報）を保持することができ、アプリケーションから参照することができる。ペン情報としては、バッテリーレベル、ペンＩＤ、ペン製造者番号、ペンソフトウェアのバージョン、サブスクリプションプロバイダのＩＤなどを保持できる。また、ペン所有者情報としては、国籍、言語、タイムゾーン、ｅｍａｉｌアドレス、空きメモリ容量、名前、住所、ファックス／電話番号、携帯電話番号などを保持することができる。
【００３８】
次に、電子ペンにより利用者が記述した内容のＸ／Ｙデータを取得する方法について説明する。前述のように専用ペーパー２０には、所定のドットパターンが印刷されている。電子ペン１０のカメラ１６は、利用者が専用ペーパー２０上に記述したインクの軌跡を読み取るのではなく、専用ペーパー２０上のドットパターンを読み取る。実際、図１に示すように、赤外線ＬＥＤ１５による照明領域及びカメラ１６の撮影領域（照明領域内に位置する）は、ペン先部１７が専用ペーパー２０に接触する位置とはずれている。
【００３９】
ドットパターンはカーボンを含む専用インキなどで印刷されており、カメラ１６はその専用インキによるパターンのみを認識することができる。専用インキ以外のインキ（カーボンを含まない）により、専用ペーパー上に罫線や枠などを印刷しても、電子ペンはそれらを認識することはない。よって、専用ペーパーを利用して各種申請書などの帳票を作成する際は、専用インキ以外のインキで入力枠や罫線、注意書きなどを印刷する。
【００４０】
ドットパターンは、図３に例示するように、各ドットの位置がデータに対応付けされている。図３の例では、ドットの位置を格子の基準位置（縦線及び横線の交差点）から上下左右にシフトすることにより、０〜３の２ビット情報を表示した例である。このようにして表現された情報の組み合わせにより、専用ペーパー上の位置座標が決定される。図４（ａ）に例示するように、縦横２ｍｍの範囲内に３６個のドットが格子状に配置され、これらのドットにより示されるデータの配列（図４（ｂ））が、その専用ペーパー上の位置座標と対応付けされている。よって、電子ペン１０のカメラ１６が図４（ａ）に示すようなドットパターンを撮影すると、プロセッサ１１はカメラ１６から入力されるドットパターンのデータに基づいて図４（ｂ）に示すデータ配列を取得し、それに対応する専用ペーパー上の位置座標（即ち、そのドットパターンがその専用ペーパー上のどの位置にあるのか）をリアルタイムで算出する。なお、ドットパターンを認識する最小単位は２ｍｍ×２ｍｍであり、カメラ１６は毎秒１００回程度の撮影を行う。
【００４１】
次に、専用ペーパーについて説明する。専用ペーパーの構造の一例を図５に示す。図示のように、専用ペーパー２０は、台紙３０上にドットパターン３２が印刷され、その上に罫線などの図案３４が印刷されている。台紙３０は通常は紙であり、ドットパターン３２は前述のようにカーボンを含んだ専用インキにより印刷される。また、通常のインキなどにより図案３４が印刷される。ドットパターンと図案とは同時に印刷してもよいし、いずれかを先に印刷してもよい。
【００４２】
図６に、ある申込書３６の図案３４の例を示す。図６示すように、申込書３６には、新規記入ボックス欄３７、複数の記入欄３８及び送信ボックス欄３９等が印刷されている。図６には明確に図示されていないが、実際にはドットパターンが申込書３６の全面に印刷されており、その上に新規記入ボックス欄３７、記入欄３８及び送信ボックス欄３９等が通常のインキにより印刷されている。利用者は、ドットパターンを意識することなく、従来からある申込書と同様に、電子ペン１０を使用して必要事項を申込書３６の各記入欄３８に記入すればよい。
【００４３】
専用ペーパー２０上の領域は大きく２種類の領域に分けることができる。１つは記入エリアであり、電子ペン１０による記述内容をそのまま情報として取り扱うエリアである。図６の例では複数の記入欄３８がこれに該当する。もう１つは機能エレメントであり、対応するエリア内を電子ペン１０でチェックした際に、予めそのエリアに対して定義されているアクション、指示などを実行するようになっている。図６の例における新規記入ボックス欄３７及び送信ボックス欄３９がこれに該当する。このような新規記入ボックス欄３７及び送信ボックス欄３９は、言い換えれば、専用ペーパー２０がその機能を果たすために、記入不可欠な記入欄である。
【００４４】
送信ボックス欄３９は、前述したように電子ペン１０のメモリ１２内に記憶されているデータを近傍の端末装置２５へ送信するための指示を行う際に使用される。利用者が送信ボックス欄３９内に電子ペン１０でチェックを入れると、電子ペン１０が送信ボックス欄３９内のドットパターンを読み取る。当該パターンは送信指示に対応付けられており、電子ペン１０内のプロセッサ１１はＢｌｕｅｔｏｏｔｈトランシーバ１３にメモリ１２内の記憶データの送信命令を発する。これにより、Ｂｌｕｅｔｏｏｔｈトランシーバ１３はメモリ１２内の記憶データを端末装置２５に送信する。また、記憶データが送信されると、プロセッサ１１はメモリ１２内の記憶データをクリアする。
【００４５】
新規記入ボックス欄３７は、例えば、利用者が申込書３６に必要事項を新たに記入するときに、電子ペン１０のメモリ１２内に記憶されている（残存している）全てのデータをクリアするために使用される。利用者が新規記入ボックス欄３７内に電子ペン１０でチェックを入れると、電子ペン１０が新規記入ボックス欄３７内のドットパターンを読み取る。当該パターンはクリア指示に対応付けられており、電子ペン１０内のプロセッサ１１はメモリ１２内の記憶データをクリアする。つまり、利用者が送信ボックス欄３９内に電子ペン１０でチェックを入れない場合、メモリ１２内に記憶データが残存することになるので、利用者が新たに申込書３６に必要事項を記入する際にそのような記憶データをクリアするために新規記入ボックス欄３７が使用される。
【００４６】
ところで、ドットパターンの割り当ては、通常、アプリケーション（用紙の種類）毎に行われる。即ち、ある申込書内のドットパターンは１枚の用紙の中で重複することはないが、同一の申込書には全て同じドットパターンが印刷されている。よって、利用者が電子ペン１０で必要事項を入力すると、その入力事項がその申込書のどの項目に対するものであるかを、申込書上の座標データから特定することができる。
【００４７】
このように、ドットパターンを印刷した専用ペーパー上に所定の図案を印刷することにより、専用ペーパーを利用した各種申請書が作成できる。利用者は電子ペン１０を使用して通常の要領で必要事項を記入すれば、その電子データが自動的に取得される。
【００４８】
上記の例では、ドットパターンは専用ペーパー上にカーボンを含むインキにより印刷されているが、プリンタ及びカーボンを含むインクを使用してドットパターンを通常の紙上にプリントすることも可能である。さらに、専用ペーパー上の図案も印刷ではなく、プリンタにより形成することも可能である。ドットパターンをプリンタにより紙上に形成する場合には、１枚１枚に異なるドットパターンを形成することが可能である。よって、形成されたドットパターンの違いにより、それらの用紙１枚１枚を識別し、区別することが可能となる。
【００４９】
なお、本明細書においては、「印刷」の語は、通常の印刷のみならず、プリンタによるプリントも含む概念とする。
【００５０】
次に、電子ペンにより取得したデータの送信処理について説明する。前述のように、電子ペン１０の通信機能はＢｌｕｅｔｏｏｔｈによるものであり、専用ペーパー２０に入力したデータを取り扱うサービスサーバ（特定の申込書であれば、その申込先のサーバということになる）に対して電子ペン１０から直接的にデータを送信することはできない。よって、電子ペン１０により取得したデータは、端末装置２５からサービスサーバへ送信される。
【００５１】
その際の処理を図２を参照して説明する。電子ペン１０が取得したデータは、主として利用者が入力した事項のデータであるが、通常はそのデータの送信先であるサービスサーバがどこであるかの情報は含まれていない。その代わりに、その専用ペーパーに関するアプリケーションやサービスを特定する情報が専用ペーパー上のドットパターンに含まれており、利用者の入力作業中に専用ペーパーからその情報が取得されている。よって、電子ペン１０から入力データを受け取った端末装置２５は、まず、問い合わせサーバ２６に対して、その専用ペーパーに対して入力されたデータをどのサービスサーバ２７へ送信すべきかの問い合わせを行う。問い合わせサーバ２６は、専用ペーパー毎に、対応するサービスサーバの情報を有しており、端末装置２５からの問い合わせに応じて、当該専用ペーパーに関するサービスなどを行うサービスサーバ２７の情報（ＵＲＬなど）を端末装置２５へ回答する。それから、端末装置２５は、電子ペンから取得した入力データをそのサービスサーバ２７へ送信することになる。
【００５２】
なお、上記の例では端末装置２５、問い合わせサーバ２６及びサービスサーバ２７が別個に構成されているが、これらの幾つか又は全てを１つの装置として構成することも可能である。
【００５３】
［申込処理システム］
次に、本実施形態における申込処理システムの構成及び機能について説明する。
【００５４】
図７に、申込処理システムの概略構成を示す。図７に示す申込処理システム１は、利用者が電子ペン１０を利用して申込書に記入したデータを、端末装置２５を介して受付サーバ３で受信し、申込みの受付処理をするものである。尚、本実施例では、前記申込書の態様として、旅行申込書４を使用する場合を一例として説明する。
【００５５】
図７に示すように、申込処理システム１は、先に述べた電子ペン１０及び旅行申込書４と、端末装置２５と、バージョン認識装置としての受付サーバ３と、オペレータ端末装置６とを含んで構成されており、端末装置２５、受付サーバ３及びオペレータ端末装置６は、ネットワーク２を通じて相互に接続されている。ネットワーク２は、社内ＬＡＮやインターネットなど、各種のネットワークとすることができる。
【００５６】
先ず、本システムによる旅行申込受付方法の概要を述べておく。利用者は、最初に旅行申込書４の作成にあたってオペレータ端末装置６により、申込予約状況などの情報提供を受ける。そして、利用者は、その情報提供に基づき、電子ペン１０を使用して旅行申込書４の必要事項を記入する。この旅行申込書４には複数のバージョンが存在し、利用者は、何れかのバージョンの旅行申込書４に必要事項を記入することになる。利用者が旅行申込書４に記入した内容に対応する記入データは、電子ペン１０から端末装置２５へ送信され、その後、端末装置２５から受付サーバ３へと送信される。そして、受付サーバ３によって受信された記入データは、旅行申込書４のバージョンに従ってデータベース８に登録される。その後、オペレータ端末装置６に受付確認の情報が送信され、受付処理が終了する。
【００５７】
次に、申込処理システム１の各構成要素の機能について説明する。
【００５８】
先ず、旅行申込書４について電子ペン１０と併せて説明する。図８は、前記旅行申込書４の例として、バージョン１から３の旅行申込書（４ａ乃至４ｃ）を示したものである。バージョン３の旅行申込書４ｃが最も新しいバージョンである。
【００５９】
旅行申込書４ａ乃至４ｃは、それぞれ、例えば、申込者の氏名・住所及び行先など複数の文字や記入欄などの図案が印刷された紙媒体である。そして、旅行申込書４ａ乃至４ｃは、それぞれ、上述した電子ペン用帳票としての専用ペーパー２０で作成されている。即ち、図５に例示するように、台紙３０上に所定のドットパターン３２が印刷されており、その上に申込者の氏名・住所及び行先など複数の文字や記入欄などの図案３４が印刷されている。
【００６０】
具体的には、図８に示すように、旅行申込書４ａ乃至４ｃには、それぞれ、新規の旅行申込書であることをチェックするための新規記入ボックス欄４０ａ乃至４０ｃと、申込者の氏名・住所、行先及び日程など利用者が記入するための複数の記入欄４１ａ乃至４１ｃと、旅行申込書の記入が終了した段階で、その記入された内容に対応する記入データを旅行会社の端末装置２５に送信するためにチェックされる送信ボックス欄４２ａ乃至４２ｃが備えられている。
【００６１】
ここで、新規記入ボックス欄４０ａ乃至４０ｃは、旅行申込書４のバージョン毎に異なるドットパターンが印刷された第２エリア上に設けられている。一方、複数の記入欄４１ａ乃至４１ｃ及び送信ボックス欄４２ａ乃至４２ｃは、旅行申込書４のバージョン毎に同一となるドットパターンが印刷された第１エリア上に設けられている。
【００６２】
新規記入ボックス欄４０ａ乃至４０ｃは、利用者が旅行申込書４ａ乃至４ｃの記入欄４１ａ乃至４１ｃに記入する前段階として、まず最初に電子ペン１０によりチェックするための必須記入欄であり、バージョン認識用エリアとして機能する。利用者が電子ペン１０を用いて新規記入ボックス欄４０ａ乃至４０ｃの枠内にチェックを入れると、電子ペン１０は、新規記入ボックス欄４０の枠内のドットパターンを読み取る。そして、上述したように、そのドットパターンはクリア指示に対応付けられているため、電子ペン１０内のプロセッサ１１は、メモリ１２内の記憶データをクリアする。
【００６３】
さらに、本実施形態においては、電子ペン１０内のプロセッサ１１が、当該新規記入ボックス欄４０ａ乃至４０ｃの枠内にチェックされたＸ／Ｙ座標のストロークデータを取得し、電子ペン１０内のメモリ１２に記入データとして記憶する。このような記入データは、読み取られたドットパターンにより表されたデータであり、旅行申込書４のバージョン毎に、新規記入ボックス欄４０内のドットパターンが異なっているので、これにより、旅行申込書４のバージョンを認識することができるようになる。
【００６４】
記入欄４１ａ乃至４１ｃは、利用者が、申込者の氏名・住所、行先及び日程など複数に亘る記入項目にしたがって電子ペン１０で記入するための枠である。図５に例示するように、記入欄４１ａ乃至４１ｃは、バージョンの違いに伴い、それぞれ、図柄、記入位置及び内容等が異なっている。例えば、バージョン２の旅行申込書４ｂの記入欄４１ｂおいて住所が記入される位置は、バージョン３の旅行申込書４ｃの記入欄４１ｃにおいて住民票コードが記入されるようになっている。かかる位置のドットパターンは、バージョン２の旅行申込書４ｂとバージョン３の旅行申込書４ｃとで同じであるので、後述するように、旅行申込書４のバージョン認識が不可欠となるのである。
【００６５】
そして、利用者が、電子ペン１０を用いて記入欄４１ａ乃至４１ｃの枠内に必要事項を記入すると、電子ペン１０が記入欄４１ａ乃至４１ｃの枠内のドットパターンを読み取る。そして、電子ペン１０内のプロセッサ１１が、当該記入欄４１ａ乃至４１ｃの枠内に記入されたＸ／Ｙ座標のストロークデータを取得し、電子ペン１０内のメモリ１２に記入データとして記憶する。
【００６６】
送信ボックス欄４２ａ乃至４２ｃは、利用者が旅行申込書４を記入した後で、それらのデータを端末装置２５に送信するために、電子ペン１０を用いてチェックするための枠である。利用者が、送信ボックス欄４２ａ乃至４２ｃの枠内に電子ペン１０でチェックを入れると、電子ペン１０が送信ボックス欄４２ａ乃至４２ｃの枠内のドットパターンを読み取る。そして、電子ペン１０内のプロセッサ１１が、当該送信ボックス欄４２ａ乃至４２ｃの枠内にチェックされたＸ／Ｙ座標のストロークデータを取得し、電子ペン１０内のメモリ１２に送信コマンドコードとして記憶すると共に、その時点で電子ペン１０内のメモリ１２に記憶している全データを端末装置２５へ送信するようになっている。
【００６７】
次に、端末装置２５について説明する。端末装置２５は、好適には旅行会社の営業窓口など旅行申込み受付け場所に設置される。また、端末装置２５は、Ｂｌｕｅｔｏｏｔｈ対応の通信ユニット等を備え、電子ペン１０から送信される記入データを受信する。さらに、端末装置２５は、受信された記入データをネットワーク２を通じて受付サーバ３へ送信する機能を有する。なお、端末装置２５に、ＰＣ（Ｐｅｒｓｏｎａｌ　ｃｏｍｐｕｔｅｒ）、携帯電話機、ＰＤＡ（Ｐｅｒｓｏｎａｌ　Ｄｉｇｉｔａｌ　Ａｓｓｉｓｔａｎｔ）等を適用することができる。
【００６８】
次に、受付サーバ３について説明する。受付サーバ３は、好適には旅行会社の情報管理部門などに設置される。また、受付サーバ３は、ＣＰＵを主体として構成された処理部、各種データ及びプログラム（本発明に係る帳票バージョン認識処理プログラムを含む）を記憶するための記憶部（ＲＯＭ，ＲＡＭ，ハードディスク等）及び、ネットワーク２を介して他の装置とデータ通信を行うための通信部等を備え、端末装置２５から送信される記入データを受信（取得）し、帳票バージョン認識処理プログラム３ａに従い、旅行申込書４のバージョンを認識するための帳票バージョン認識処理を行う機能を有する。かかるバージョン認識処理プログラムの詳細については後述する。
【００６９】
また、受付サーバ３の記憶部には、受信された記入データ等を登録（記憶）するためのデータベース８が構築されており、更に、上記各新規記入ボックス欄４０ａ乃至４０ｃにおけるドットパターンと旅行申込書４のバージョンとの関係を示した帳票バージョン対応付けテーブルが記憶されている。
【００７０】
さらに、受付サーバ３は、オペレータ端末装置６に受付確認の情報を送信する機能及び、オペレータ端末装置６から申込予約状況などのデータ照会があると、要求のあったデータをデータベース８にアクセスして読出し、オペレータ端末装置６に回答する機能を有する。
【００７１】
次に、オペレータ端末装置６について説明する。オペレータ端末装置６は、好適には前記した端末装置２５と同じ構内に設置される。そして、オペレータ端末装置６は、利用者に対して旅行申込みする際の申込予約状況などの必要な情報を提供したり、旅行申込みの受付けがされた場合に、受付サーバ３から返信された受付確認に基づいて旅行チケットの発行を行う。具体的には、オペレータが、オペレータ端末装置６を操作して、受付サーバ３に接続されたデータベース８にアクセスし、そこに登録されている申込予約状況などの必要なデータを画面上に表示させたり、プリンタで印刷するなどして、データ照会や旅行チケットの発行ができるようになっている。
【００７２】
［帳票バージョン認識処理プログラム］
次に、受付サーバ３が帳票バージョン認識処理プログラム３ａを実行することにより、旅行申込書４のバージョンを認識するための帳票バージョン認識処理（方法）について説明する。
【００７３】
図９は、帳票バージョン認識処理プログラム３ａのフローチャートを概略的に示す図である。図９に示すように、帳票バージョン認識処理をするには、受付サーバ３にインストールされている帳票バージョン認識処理プログラム３ａを起動させる（ステップＳ１）。そして、受付サーバ３は、電子ペン１０から送信された記入データを受信し、取得する（ステップＳ２）。
【００７４】
次に、受付サーバ３は、取得した記入データからドットパターンを特定し、上記帳票バージョン対応付けテーブルを参照して、取得した記入データがどのバージョンの旅行申込書４で記入されたデータであるかを認識する（ステップＳ３）。
【００７５】
そして、受付サーバ３は、取得した記入データ（旅行申込書４の複数の記入欄に記入された内容に対応する記入データ）を、認識された旅行申込書４のバージョンに従って（例えば、データ変換等も含む）データベース８に登録する（ステップＳ４）。
【００７６】
その後は、受付サーバ３は、認識された旅行申込書４のバージョンに従って必要な処理を実行する。なお、その処理が所定のプログラムにより実行される場合には、各バージョンに適合した処理プログラムにより処理を行う。
【００７７】
以上説明したように本実施形態によれば、利用者に意識させることなく、記入された旅行申込書４のバージョンを認識することができるので、それぞれのバージョンの旅行申込書４における記入欄に記入された情報が何の情報（例えば、住所なのか、或いは、住民票コードなのか）であるかを特定でき、記入データを的確にデータベース８に登録することができる。また、これにより、例えば、オペレータ端末装置６から利用者に対し、バージョン毎に不足情報の記入を促すこともできる。
【００７８】
また、本例では、ドットパターンを変えることによりバージョンの区別を行っているため、旅行申込書４ａ乃至４ｃで新規記入ボックス欄４０ａ乃至４０ｃの位置を同じとすることができ、その部分のデザインを変える必要がないというメリットもある。
【００７９】
なお、新規記入ボックス欄４０ａ乃至４０ｃの位置を、各旅行申込書４ａ乃至４ｃで異なるように構成してもよい。この場合は、見る人（例えば、オペレータ）によっては、その位置によって電子ペン用帳票のバージョンを把握することができる。
【００８０】
［変形例１］
上記図８の例では、各旅行申込書４における各新規記入ボックス欄のドットパターンは、バージョン毎に異なるように構成したが、別の例として、各旅行申込書４のドットパターンを各新規記入ボックス欄を含み全て同じにし、その新規記入ボックス欄の位置を、各旅行申込書４で互いに異なるように構成してもよい。
【００８１】
図１０は、旅行申込書４の変形例１として、バージョン１から３の旅行申込書（４ｄ乃至４ｆ）を示したものである。この変形例１では、図１０に示すように、各旅行申込書４ｄ乃至４ｆにおける新規記入ボックス欄４０ｄ乃至４０ｆの位置が互いに異なるように構成される。上述したように、ある申込書内のドットパターンは１枚の用紙の中で重複することはないため、各新規記入ボックス欄４０ｄ乃至４０ｆの位置におけるドットパターンは異なることになる。
【００８２】
利用者は、旅行申込書４ｄ乃至４ｆの記入欄４１ａ乃至４１ｃ（旅行申込書４ａ乃至４ｃと同様の内容であるので同一符号を付している）に記入する前段階として、上記と同様、電子ペン１０を用いて新規記入ボックス欄４０ｄ乃至４０ｆの枠内にチェックを入れることになる。なお、その他、電子ペン１０等の動作については、旅行申込書４ａ乃至４ｃの場合と同様であるので説明を省略する。
【００８３】
この変形例１においても、上記図９の処理により、旅行申込書４のバージョンを認識することができる。即ち、受付サーバ３は、ステップＳ２において、電子ペン１０から送信された記入データを受信し、取得した後、ステップＳ３において、取得した記入データからドットパターンを特定し、バージョン対応付けテーブルを参照して、取得した記入データがどのバージョンの旅行申込書４で記入されたデータであるかを認識する。さらに、この変形例１では、新規記入ボックス欄４０ｄ乃至４０ｆの位置が互いに異なるので、記入データからストロークデータの位置（Ｘ／Ｙ座標）を特定し、バージョン対応付けテーブル（この場合、旅行申込書４における位置（Ｘ／Ｙ座標）とバージョンとの関係が示されている）を参照して、取得した記入データがどのバージョンの旅行申込書４で記入されたデータであるかを認識することができる。
【００８４】
このように変形例１においても、受付サーバ３では、利用者に意識させることなく、記入された旅行申込書４のバージョンを認識することができるので、それぞれのバージョンの旅行申込書４における記入欄に記入された情報が何の情報であるかを特定でき、記入データを的確にデータベース８に登録することができる。
【００８５】
その後は、受付サーバ３は、認識された旅行申込書４のバージョンに従って必要な処理を実行する。なお、その処理が所定のプログラムにより実行される場合には、各バージョンに適合した処理プログラムにより処理を行う。
【００８６】
さらに、変形例１においては、新規記入ボックス欄４０ｄ乃至４０ｆの部分のデザインを各旅行申込書４ｄ乃至４ｆ毎に変える必要があるが、各旅行申込書４ｄ乃至４ｆでドットパターンが同じであるので、旅行申込書４のバージョンが異なっても、同じドットパターンを使うことができる。
【００８７】
［変形例２］
上記図１０の例では、新規記入ボックス欄４０ｄ乃至４０ｆの部分のデザインを各旅行申込書４ｄ乃至４ｆ毎に変える必要があるが、別の例として、かかるデザインを統一するように構成してもよい。
【００８８】
図１１は、旅行申込書４の変形例２として、バージョン１から３の旅行申込書（４ｇ乃至４ｉ）を示したものである。この変形例２では、図１１に示すように、各旅行申込書４ｇ乃至４ｉには、旅行申込書４のバージョン数（ここでは、３つ）に応じた数だけ新規記入ボックス欄が設けられている。
【００８９】
利用者は、旅行申込書４ｇ乃至４ｉの記入欄４１ａ乃至４１ｃ（旅行申込書４ａ乃至４ｃと同様の内容であるので同一符号を付している）に記入する前段階として、電子ペン１０を用いて各バージョンに対応する位置の新規記入ボックス欄４０ｇ乃至４０ｉの枠内にチェックを入れることになる。例えば、バージョン１の旅行申込書４ｇである場合、一番左の新規記入ボックス欄４０ｇにチェックすることになり、バージョン３の旅行申込書４ｉである場合、一番右の新規記入ボックス欄４０ｉにチェックすることになる。
【００９０】
なお、その他、電子ペン１０等の動作については、旅行申込書４ａ乃至４ｃの場合と同様であるので説明を省略する。また、この変形例２においても、上記図９の処理により、旅行申込書４のバージョンを認識することができ、変形例１と同様の処理であるので、詳しい説明を省略する。
【００９１】
このように変形例２においては、新規記入ボックス欄の部分のデザインを各旅行申込書４ｇ乃至４ｉ毎に変える必要もなく、また、各旅行申込書４ｇ乃至４ｉでドットパターンが同じであるので、旅行申込書４のバージョンが異なっても、同じドットパターンを使うことができる。
【００９２】
なお、上記実施形態において、利用者が記入不可欠なバージョン認識用エリアとして機能する必須記入欄を新規記入ボックス欄としたが、これに限定されるものではなく、送信ボックス欄としても、上記実施形態と同様の効果を得ることができる。
【００９３】
また、上記実施形態においては、帳票バージョン認識処理プログラム３ａを受付サーバ３にインストールさせ起動させ、バージョン認識処理を行うように構成したが、これに限定されるものではなく、例えば、オペレータ端末装置６若しくは端末装置２６に帳票バージョン認識処理プログラム３ａをインストールさせて、バージョン認識装置として上記帳票のバージョン認識処理を実行させるように構成してもよい。さらには、電子ペン１０にてバージョン認識処理を実行させるように構成してもよい。
【００９４】
【発明の効果】
以上説明したように、電子ペン用帳票のバージョン毎に、バージョン認識用の必須記入欄におけるドットパターンを変えること等によって、利用者に意識させることなく、電子ペン用帳票のバージョンを認識することができる。
【図面の簡単な説明】
【図１】電子ペンの使用形態を模式的に示す図である。
【図２】電子ペンの構造を示す機能ブロック図である
【図３】専用ペーパーに印刷されたドットパターンによる情報の表現方法を説明する図である。
【図４】ドットパターン及びそれに対応する情報の例を示す。
【図５】専用ペーパーにより構成される帳票の構造を示す。
【図６】ある申込書の図案の例を示す図である。
【図７】申込処理システムの概略構成を示す図である。
【図８】旅行申込書の例として、バージョン１から３の旅行申込書を示す図である。
【図９】帳票バージョン認識処理プログラムのフローチャートを概略的に示す図である。
【図１０】旅行申込書の変形例１として、バージョン１から３の旅行申込書を示す図である。
【図１１】旅行申込書の変形例２として、バージョン１から３の旅行申込書を示す図である。
【符号の説明】
２　ネットワーク
３　受付サーバ
３ａ　帳票バージョン認識処理プログラム
４　申込書
６　オペレータ端末装置
８　データベース
１０　電子ペン
１１　プロセッサ
１２　メモリ
１３　トランシーバ
１４　バッテリー
１５　ＬＥＤ
１６　カメラ
１７　ペン先部
２０　専用ペーパー
２５　端末装置
【図１】
2004127198.tif 000003
【図２】
2004127198.tif 000004
【図３】
2004127198.tif 000005
【図４】
2004127198.tif 000006
【図５】
2004127198.tif 000007
【図６】
2004127198.tif 000008
【図７】
2004127198.tif 000009
【図８】
2004127198.tif 000010
【図９】
2004127198.tif 000011
【図１０】
2004127198.tif 000012
【図１１】
2004127198.tif 000013